(57)【要約】  【課題】  インターネット等の通信網を介して会話を行うチャット等のコミュニケーションシステムにおいて、相手に関する知識に乏しい場合でも、円滑なコミュニケーションの実現を支援する情報表示方法、情報表示システム、情報表示装置及びコンピュータプログラムを提供する。  【解決手段】  例えばチャット用の会話としてデータを入力した場合に、入力されたデータに関連する情報の記録位置を示すＵＲＬ等の位置指示情報を検索し、検索した位置指示情報を、例えばハイパーリンクの形式で、受け付けたデータに関連付けて表示する。【選択図】      図１
2006146824.tif 000002
【特許請求の範囲】
【請求項１】
データの入力を受け付け、受け付けたデータに関する情報を表示する情報表示装置を用いた情報表示方法において、
受け付けたデータに関連する情報の記録位置を指示する位置指示情報を検索し、
検索した位置指示情報をデータに関連付け、
位置指示情報を関連付けたデータを表示する
ことを特徴とする情報表示方法。
【請求項２】
表示手段に表示させる画像を出力し、該画像上の位置を指示する指示子を操作する入力を位置指示手段から受け付け、入力データの入力を入力手段から受け付ける複数の情報表示装置を用いた情報表示方法において、
一方の情報表示装置は、
画像を表示させる情報の記録位置を指示する位置指示情報を他方の情報表示装置へ送信し、
位置指示手段から受け付けた入力に基づく位置を示す指示子位置情報を他方の情報表示装置へ送信し、
入力手段から受け付けた入力データを他方の情報表示装置へ送信し、
他方の情報表示装置は、
受信した位置指示情報に基づく画像を表示手段に表示させ、
受信した指示子位置情報に基づく表示手段上の位置に指示子を表示させ、
受信した入力データを表示手段に表示させる
ことを特徴とする情報表示方法。
【請求項３】
データの入力を受け付ける入力手段、画像を表示する表示手段、及び通信網に接続する通信手段を有する情報表示装置を備える情報表示システムにおいて、
入力手段から受け付けた入力データに関連する情報の通信網上の記録位置を指示する位置指示情報を検索する手段と、
検索した位置指示情報を入力データに関連付ける手段と、
位置指示情報を関連付けた入力データを表示手段に表示させる手段と
を備えることを特徴とする情報表示システム。
【請求項４】
文字データの入力を受け付ける入力手段、画像を表示する表示手段、及び通信網に接続する通信手段を有する情報表示装置を備える情報表示システムにおいて、
前記入力手段から受け付けた文字データに対して形態素解析を行い、文字データを構成する単語を導出する導出手段と、
導出した単語を検索鍵として、該単語に関連する情報の通信網上の記録位置を指示する位置指示情報を検索する検索手段と、
検索した位置指示情報を文字データに関連付ける関連付け手段と、
位置指示情報を関連付けた文字データを表示手段に表示させる手段と
を備えることを特徴とする情報表示システム。
【請求項５】
文字データの入力を受け付ける入力手段、画像を表示する表示手段、及び通信網に接続する通信手段を夫々有する複数の情報表示装置を備える情報表示システムにおいて、
通信網に接続し、夫々の情報表示装置から送信される文字データを受信して、各情報表示装置へ同報送信する中継装置を更に備え、
前記入力手段から受け付けた文字データに対して形態素解析を行い、文字データを構成する単語を導出する導出手段と、
導出した単語を検索鍵として、該単語に関連する情報の通信網上の記録位置を指示する位置指示情報を検索する検索手段と、
検索した位置指示情報を文字データに関連付ける関連付け手段と、
位置指示情報を関連付けた文字データを表示手段に表示させる手段と
を備えることを特徴とする情報表示システム。
【請求項６】
前記通信網に接続し、検索鍵に基づいて位置指示情報を検索する検索装置を更に備え、
前記検索手段は、前記検索装置が備える
ことを特徴とする請求項４又は請求項５に記載の情報表示システム。
【請求項７】
前記検索装置は、複数であり、
単語の品詞の属性を示す属性情報及び単語の品詞の種類を示す種類情報を対応付けて記録する属性種類データベースと、
種類情報及び検索装置を識別する検索装置識別情報を対応付けて記録する検索装置データベースと、
形態素解析により導出した単語の品詞の属性を判定する手段と、
判定した品詞の属性を示す属性情報に対応する種類情報を、属性品詞データベースから抽出する手段と、
抽出した種類情報に対応する検索装置識別情報を、検索装置デーベースから抽出する手段と
を備え、
前記検索手段は、抽出した検索装置識別情報にて識別される検索装置が備える
ことを特徴とする請求項６に記載の情報表示システム。
【請求項８】
形態素解析により導出した単語及び該単語に対応する種類情報の論理積を検索鍵として、前記検索手段に検索させる手段を更に備えることを特徴とする請求項７に記載の情報表示システム。
【請求項９】
前記導出手段が導出した単語の中で、２以上の単語が連続する単語組を抽出する手段を更に備え、
前記検索手段は、抽出した単語組を、該単語組を形成する各単語より優先的に検索鍵として検索するように構成してある
ことを特徴とする請求項８に記載の情報表示システム。
【請求項１０】
前記位置指示情報は、ページ記述言語で記述されたウェブページを表示させる情報を指示するＵＲＬ(Universal Resource Locator)であり、
前記関連付け手段は、表示させる文字データに対するハイパーリンクとして位置指示情報を関連付けるように構成してある
ことを特徴とする請求項４乃至請求項９のいずれかに記載の情報表示システム。
【請求項１１】
前記情報表示装置は、
表示手段に表示させる画像上の位置を指示する指示子を操作する入力を受け付ける位置指示手段と、
ページ記述言語で記述されたウェブページを閲覧する閲覧用画像を表示手段に表示させる閲覧用プログラムと、
該閲覧用プログラムにより表示させるウェブページの位置指示情報を他の情報表示装置へ送信する手段と、
閲覧用プログラムにより表示させる閲覧用画像上に、指示子が位置するか否かを判定する手段と、
閲覧用プログラムにより表示させる閲覧用画像上に、指示子が位置すると判定した場合に、
閲覧用画像内での指示子の位置を示す指示子位置情報を他の情報表示装置へ送信する手段と、
入力手段から受け付けた文字データを指示子の近傍に表示させる手段と、
入力手段から受け付けた文字データを他の情報表示装置へ送信する手段と
を更に備えることを特徴とする請求項１０に記載の情報表示システム。
【請求項１２】
前記情報表示装置が備える閲覧用プログラムは、他の情報表示装置から受信した情報に基づく他装置画像を表示手段に表示させるように構成してあり、
他の情報表示装置から受信した位置指示情報に基づいて、他装置画像内にウェブページを表示させる手段と、
他の情報表示装置から受信した指示子位置情報により示される位置に基づいて、他装置画像内に指示子を表示させる手段と、
他の情報表示装置から受信した文字データを、受信した指示子位置情報に基づく指示子の近傍に表示させる手段と
を更に備えることを特徴とする請求項１１に記載の情報表示システム。
【請求項１３】
データの入力を受け付ける入力手段、画像を表示する表示手段、画像上の位置を指示する指示子を操作する入力を受け付ける位置指示手段、及び通信網に接続する通信手段を有する複数の情報表示装置を備える情報表示システムにおいて、
一方の情報表示装置は、
画像を表示させる情報の記録位置を指示する位置指示情報を他方の情報表示装置へ送信する手段と、
位置指示手段から受け付けた入力に基づく位置を示す指示子位置情報を他方の情報表示装置へ送信する手段と、
入力手段から受け付けた入力データを他方の情報表示装置へ送信する手段と
を備え、
他方の情報表示装置は、
受信した位置指示情報に基づく画像を表示手段に表示させる手段と、
受信した指示子位置情報に基づく表示手段上の位置に指示子を表示させる手段と、
受信した入力データを表示手段に表示させる手段と
を備えることを特徴とする情報表示システム。
【請求項１４】
通信網に接続し、複数の装置から夫々送信される文字データを受信し、受信した文字データを各装置へ同報送信する中継装置において、
受信した文字データに関連する情報の通信網上の記録位置を指示する位置指示情報を検索する手段と、
検索した位置指示情報を文字データに関連付ける手段と、
位置指示情報を関連付けた文字データを、各装置へ同報送信する手段と
を備えることを特徴とする中継装置。
【請求項１５】
入力手段からデータの入力を受け付ける手段、表示手段に画像を表示させる手段、及び通信網に接続する通信手段を備え、通信に関する情報を表示手段に表示させる情報表示装置において、
入力手段から受け付けた入力データに関連する情報の通信網上の記録位置を指示する位置指示情報を検索させる手段と、
検索した位置指示情報を入力データに関連付ける手段と、
位置指示情報を関連付けた入力データを、表示手段に表示させる手段と
を備えることを特徴とする情報表示装置。
【請求項１６】
入力手段からデータの入力を受け付ける手段、表示手段に画像を表示させる手段、位置指示手段から画像上の位置を指示する指示子を操作する入力を受け付ける手段、及び通信網に接続する通信手段を備え、通信網を介して他の装置と通信し、通信に関する情報を表示手段に表示させる情報表示装置において、
画像を表示させる情報の記録位置を指示する位置指示情報を、通信網を介して他の装置へ送信する手段と、
位置指示手段から受け付けた入力に基づく位置を示す指示子位置情報を、通信網を介して他の装置へ送信する手段と、
入力手段から受け付けた入力データを、通信網を介して他の装置へ送信する手段と
を備え、
他の装置から位置指示情報を受信した場合に、受信した位置指示情報に基づく画像を表示手段に表示させる手段と、
他の装置から指示子位置情報を受信した場合に、受信した指示子位置情報に基づく表示手段上の位置に指示子を表示させる手段と、
他の装置から入力データを受信した場合に、受信した入力データを表示手段に表示させる手段と
を更に備えることを特徴とする情報表示装置。
【請求項１７】
通信網に接続する手段を備えるコンピュータに、複数の装置から夫々送信される文字データを受信し、受信した文字データを各装置へ同報送信させるコンピュータプログラムにおいて、
コンピュータに、受信した文字データに関連する情報の通信網上の記録位置を指示する位置指示情報を検索させる手順と、
コンピュータに、検索した位置指示情報を文字データに関連付ける手順と、
コンピュータに、位置指示情報を関連付けた文字データを、各装置へ同報送信させる手順と
を実行させることを特徴とするコンピュータプログラム。
【請求項１８】
データの入力を受け付ける入力手段、画像を表示させる表示手段、及び通信網に接続する手段を備えるコンピュータに、通信に関する情報を表示手段に表示させるコンピュータプログラムにおいて、
コンピュータに、入力手段から受け付けた入力データに関連する情報の通信網上の記録位置を指示する位置指示情報を検索させる手順と、
コンピュータに、検索した位置指示情報を入力データに関連付けさせる手順と、
コンピュータに、位置情報を関連付けた入力データを表示手段に表示させる手順と
を実行させることを特徴とするコンピュータプログラム。
【請求項１９】
データの入力を受け付ける入力手段、画像を表示させる表示手段、画像上の位置を指示する指示子を操作する入力を受け付ける位置指示手段、及び通信網に接続する手段を備えるコンピュータに、通信網を介して他の装置と通信し、通信に関する情報を表示手段に表示させるコンピュータプログラムにおいて、
コンピュータに、画像を表示させる情報の記録位置を指示する位置指示情報を、通信網を介して他の装置へ送信させる手順と、
コンピュータに、位置指示手段から受け付けた入力に基づく位置を示す指示子位置情報を、通信網を介して他の装置へ送信させる手順と、
コンピュータに、入力手段から受け付けた入力データを、通信網を介して他の装置へ送信させる手順と、
コンピュータに、他の装置から位置指示情報を受信した場合に、受信した位置指示情報に基づく画像を表示手段に表示させる手順と、
コンピュータに、他の装置から指示子位置情報を受信した場合に、受信した指示子位置情報に基づく表示手段上の位置に指示子を表示させる手順と、
コンピュータに、他の装置から入力データを受信した場合に、受信した入力データを表示手段に表示させる手順と
を実行させることを特徴とするコンピュータプログラム。
【発明の詳細な説明】
【技術分野】
【０００１】
本発明は、インターネット等の通信網を介して、情報表示装置間で通信を行い、通信に基づく情報を表示する情報表示方法、該情報表示方法を適用した情報表示システム、該情報表示システムにて用いられる中継装置及び情報表示装置、並びに該中継装置及び情報表示装置を実現するためのコンピュータプログラムに関し、通信網を介してのコミュニケーションを支援する情報表示方法、情報表示システム、中継装置、情報表示装置及びコンピュータプログラムに関する。
【背景技術】
【０００２】
近年、インターネット等の通信網を介したインフォーマルなコミュニケーションが盛んに行われるようになってきた。その多くは通信網上で偶発的に出会った人々同士のコミュニケーションであり、相手に関する知識を全く有しない人々が掲示板、チャットと呼ばれる情報を共有するためのコミュニケーションシステムを用いて音声及び／又は非音声の会話、意見交換等のコミュニケーションを行うものである。このようなコミュニケーションシステムは、例えば特許文献１に開示されている。
【特許文献１】特開２００４−２５２８６８公報
【発明の開示】
【発明が解決しようとする課題】
【０００３】
しかしながら掲示板等の非同期的なコミュニケーションでは、会話が複数日に渡ることも多く、ゆとりを持って会話することができるが、チャット等の実時間性が重要なコミュニケーションにおいては、会話が途中で途切れることは好ましくなく、短時間での活発な発言が要求される。
【０００４】
しかしコミュニケーションする相手が初対面である場合等の十分な面識がない場合は、相手に関する知識が不足する等、コミュニケーションするための共通基盤が整ってないため、相手の話を理解するのに時間がかかり、実時間でのコミュニケーションが困難になるという問題がある。
【０００５】
相手の会話を理解する方法の一つとして、文字データを入力することにより、入力した文字データに関連するウェブページを閲覧するためのＵＲＬ(Universal Resource Locator)を表示させる検索エンジンを利用するという方法が挙げられるが、一度チャットから離れてウェブページを閲覧する閲覧用プログラムから検索する必要があるため、チャットにとって重要な実時間性を損なうことになる。
【０００６】
本発明は斯かる事情に鑑みてなされたものであり、例えばチャット用の会話としてデータを入力した場合に、入力されたデータに関連する情報の記録位置を示すＵＲＬ等の位置指示情報を検索し、検索した位置指示情報を、例えばハイパーリンクの形式で、受け付けたデータに関連付けて表示することにより、相手の話を理解するための知識を容易に入手することができ、通信網を介してのコミュニケーションを支援することが可能な情報表示方法、該情報表示方法を適用した情報表示システム、該情報表示システムにて用いられる中継装置及び情報表示装置、並びに該中継装置及び情報表示装置を実現するためのコンピュータプログラムの提供を主たる目的とする。
【０００７】
さらにコミュニケーション中にウェブページを閲覧する場合、位置指示情報、及びマウス等の位置指示手段により操作されるカーソル等の指示子の位置を示す指示子位置情報を相手の装置へ送信することにより、相手の装置では、表示するウェブページ及びそのウェブページ上に表示される指示子を再現することができるので、情報を相手に伝えることが容易であり、通信網を介してのコミュニケーションを支援することが可能な情報表示方法等の提供を他の目的とする。
【課題を解決するための手段】
【０００８】
第１発明に係る情報表示方法は、データの入力を受け付け、受け付けたデータに関する情報を表示する情報表示装置を用いた情報表示方法において、受け付けたデータに関連する情報の記録位置を指示する位置指示情報を検索し、検索した位置指示情報をデータに関連付け、位置指示情報を関連付けたデータを表示することを特徴とする。
【０００９】
本発明に係る情報表示方法では、受け付けたデータに関連するＵＲＬ等の位置指示情報を、例えばハイパーリンクの形式で、受け付けたデータに関連付けて表示することにより、入力したデータに関連する知識を容易に得ることが可能であり、例えばチャット等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介して実時間でのコミュニケーションを支援することが可能である。
【００１０】
第２発明に係る情報表示方法は、表示手段に表示させる画像を出力し、該画像上の位置を指示する指示子を操作する入力を位置指示手段から受け付け、入力データの入力を入力手段から受け付ける複数の情報表示装置を用いた情報表示方法において、一方の情報表示装置は、画像を表示させる情報の記録位置を指示する位置指示情報を他方の情報表示装置へ送信し、位置指示手段から受け付けた入力に基づく位置を示す指示子位置情報を他方の情報表示装置へ送信し、入力手段から受け付けた入力データを他方の情報表示装置へ送信し、他方の情報表示装置は、受信した位置指示情報に基づく画像を表示手段に表示させ、受信した指示子位置情報に基づく表示手段上の位置に指示子を表示させ、受信した入力データを表示手段に表示させることを特徴とする。
【００１１】
本発明に係る情報表示方法では、チャット等の通信網を介しての実時間でのコミュニケーション中にウェブページを閲覧する場合、ＵＲＬ等の位置指示情報、マウス等の位置指示手段により操作されるカーソル等の指示子の位置を示す指示子位置情報、及びキーボード等の入力手段から受け付けた入力データを他方の情報表示装置へ送信し、他方の情報表示装置にて、位置指示情報に基づくウェブページを表示し、そのウェブページ中に指示子及び入力データを表示することにより、他方の情報表示装置にて、一方の情報表示装置に表示されている画面を再現することができるので、ウェブページを閲覧しながら、特定の箇所を指示し、また会話を行うことができるので、ウェブページの表示内容に関連する情報を相手に伝えることが容易であり、通信網を介しての実時間でのコミュニケーションを支援することが可能である。
【００１２】
第３発明に係る情報表示システムは、データの入力を受け付ける入力手段、画像を表示する表示手段、及び通信網に接続する通信手段を有する情報表示装置を備える情報表示システムにおいて、入力手段から受け付けた入力データに関連する情報の通信網上の記録位置を指示する位置指示情報を検索する手段と、検索した位置指示情報を入力データに関連付ける手段と、位置指示情報を関連付けた入力データを表示手段に表示させる手段とを備えることを特徴とする。
【００１３】
本発明に係る情報表示システムでは、受け付けたデータに関連するＵＲＬ等の位置指示情報を、例えばハイパーリンクの形式で、受け付けたデータに関連付けて表示することにより、入力したデータに関連する知識を容易に得ることが可能であり、例えばチャット等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介しての実時間でのコミュニケーションを支援することが可能である。
【００１４】
第４発明に係る情報表示システムは、文字データの入力を受け付ける入力手段、画像を表示する表示手段、及び通信網に接続する通信手段を有する情報表示装置を備える情報表示システムにおいて、前記入力手段から受け付けた文字データに対して形態素解析を行い、文字データを構成する単語を導出する導出手段と、導出した単語を検索鍵として、該単語に関連する情報の通信網上の記録位置を指示する位置指示情報を検索する検索手段と、検索した位置指示情報を文字データに関連付ける関連付け手段と、位置指示情報を関連付けた文字データを表示手段に表示させる手段とを備えることを特徴とする。
【００１５】
本発明に係る情報表示システムでは、文章等の文字データの入力に対し、形態素解析を用いて入力された文字データに含まれる単語を導出し、導出した単語に関連する位置指示情報を、例えばハイパーリンクの形式で、単語に関連付けて表示することにより、入力した文字データに含まれる単語に関連する知識を容易に得ることが可能であり、例えばチャットシステム等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介して実時間でのコミュニケーションを支援することが可能である。
【００１６】
第５発明に係る情報表示システムは、文字データの入力を受け付ける入力手段、画像を表示する表示手段、及び通信網に接続する通信手段を夫々有する複数の情報表示装置を備える情報表示システムにおいて、通信網に接続し、夫々の情報表示装置から送信される文字データを受信して、各情報表示装置へ同報送信する中継装置を更に備え、前記入力手段から受け付けた文字データに対して形態素解析を行い、文字データを構成する単語を導出する導出手段と、導出した単語を検索鍵として、該単語に関連する情報の通信網上の記録位置を指示する位置指示情報を検索する検索手段と、検索した位置指示情報を文字データに関連付ける関連付け手段と、位置指示情報を関連付けた文字データを表示手段に表示させる手段とを備えることを特徴とする。
【００１７】
本発明に係る情報表示システムでは、チャットサーバコンピュータ等の中継装置を用いて行われるチャットシステム等の通信網を介しての実時間でのコミュニケーションにおいて、文章等の文字データの入力に対し、形態素解析を用いて入力された文字データに含まれる単語を導出し、導出した単語に関連する位置指示情報を、例えばハイパーリンクの形式で、単語に関連付けて表示することにより、入力した文字データに含まれる単語に関連する知識を容易に得ることが可能であり、例えばチャット等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介しての実時間でのコミュニケーションを支援することが可能である。
【００１８】
第６発明に係る情報表示システムは、第４発明又は第５発明において、前記通信網に接続し、検索鍵に基づいて位置指示情報を検索する検索装置を更に備え、前記検索手段は、前記検索装置が備えることを特徴とする。
【００１９】
本発明に係る情報表示システムでは、単語に関連するウェブページの位置指示情報を検索する方法として、通信網を介して提供される検索エンジンと呼ばれるサービスを使用することにより、例えば情報表示装置に検索システムの機能を持たせる場合と比べて、処理負荷を低減することが可能であり、またシステムの設計及び保守に要する費用を削減することが可能である。
【００２０】
第７発明に係る情報表示システムは、第６発明において、前記検索装置は、複数であり、単語の品詞の属性を示す属性情報及び単語の品詞の種類を示す種類情報を対応付けて記録する属性種類データベースと、種類情報及び検索装置を識別する検索装置識別情報を対応付けて記録する検索装置データベースと、形態素解析により導出した単語の品詞の属性を判定する手段と、判定した品詞の属性を示す属性情報に対応する種類情報を、属性品詞データベースから抽出する手段と、抽出した種類情報に対応する検索装置識別情報を、検索装置デーベースから抽出する手段とを備え、前記検索手段は、抽出した検索装置識別情報にて識別される検索装置が備えることを特徴とする。
【００２１】
本発明に係る情報表示システムでは、「名詞−固有名詞−地域−国」、「名詞−固有名詞−人名−姓」等の属性に対応付けられた「画像」、「名物」、「ニュース」、「プロフィール」等の種類に応じて使用する検索装置を選択することにより、特定の属性の単語の検索に特化した検索装置を適切に使用することができるので、検索能力が向上し、好適な検索結果を単語に関連する情報として抽出することが可能である。
【００２２】
第８発明に係る情報表示システムは、第７発明において、形態素解析により導出した単語及び該単語に対応する種類情報の論理積を検索鍵として、前記検索手段に検索させる手段を更に備えることを特徴とする。
【００２３】
本発明に係る情報表示システムでは、本来の検索鍵である単語と、「ニュース」、「プロフィール」等の種類情報との論理積を検索鍵として検索することにより、単語により検索される結果に対して、更に種類による絞込を行うことができるので、検索能力が向上し、好適な検索結果を単語に関連する情報として抽出することが可能である。
【００２４】
第９発明に係る情報表示システムは、第８発明において、前記導出手段が導出した単語の中で、２以上の単語が連続する単語組を抽出する手段を更に備え、前記検索手段は、抽出した単語組を、該単語組を形成する各単語より優先的に検索鍵として検索するように構成してあることを特徴とする。
【００２５】
本発明に係る情報表示システムでは、例えば日本人に多い「鈴木」等の姓と、「一朗」等の名とを、夫々別々の単語として検索した場合には、検索結果が膨大となり、適切な検索結果を得ることが困難となるのに対し、属性が「姓」である単語と、属性が「名」である単語とを連結して「姓名」となる単語組を抽出して検索鍵とすることにより、特定の人物の絞込を容易に行うことができるので、検索能力が向上し、好適な検索結果を単語に関連する情報として抽出することが可能である。
【００２６】
第１０発明に係る情報表示システムは、第４発明乃至第９発明のいずれかにおいて、前記位置指示情報は、ページ記述言語で記述されたウェブページを表示させる情報を指示するＵＲＬ(Universal Resource Locator)であり、前記関連付け手段は、表示させる文字データに対するハイパーリンクとして位置指示情報を関連付けるように構成してあることを特徴とする。
【００２７】
本発明に係る情報表示システムでは、文字データのハイパーリンクとしてＵＲＬを関連付けることにより、広く普及しているインターネットの操作方法で、単語に関連するウェブページを表示させることができるので、単語に関する意味を把握するまでに要する操作を直感的に把握することが可能な優れたマンマシンインタフェースを提供することができる。
【００２８】
第１１発明に係る情報表示システムは、第１０発明において、前記情報表示装置は、表示手段に表示させる画像上の位置を指示する指示子を操作する入力を受け付ける位置指示手段と、ページ記述言語で記述されたウェブページを閲覧する閲覧用画像を表示手段に表示させる閲覧用プログラムと、該閲覧用プログラムにより表示させるウェブページの位置指示情報を他の情報表示装置へ送信する手段と、閲覧用プログラムにより表示させる閲覧用画像上に、指示子が位置するか否かを判定する手段と、閲覧用プログラムにより表示させる閲覧用画像上に、指示子が位置すると判定した場合に、閲覧用画像内での指示子の位置を示す指示子位置情報を他の情報表示装置へ送信する手段と、入力手段から受け付けた文字データを指示子の近傍に表示させる手段と、入力手段から受け付けた文字データを他の情報表示装置へ送信する手段とを更に備えることを特徴とする。
【００２９】
本発明に係る情報表示システムでは、ウェブページを閲覧する場合、ＵＲＬ等の位置指示情報、マウス等の位置指示手段により操作されるカーソル等の指示子の位置を示す指示子位置情報、及びキーボード等の入力手段から受け付けた文字データを他の情報表示装置へ送信することにより、ウェブページの表示内容等のウェブページに関する情報を相手に伝えることが容易であり、通信網を介しての実時間でのコミュニケーションを支援することが可能である。
【００３０】
第１２発明に係る情報表示システムは、第１１発明において、前記情報表示装置が備える閲覧用プログラムは、他の情報表示装置から受信した情報に基づく他装置画像を表示手段に表示させるように構成してあり、他の情報表示装置から受信した位置指示情報に基づいて、他装置画像内にウェブページを表示させる手段と、他の情報表示装置から受信した指示子位置情報により示される位置に基づいて、他装置画像内に指示子を表示させる手段と、他の情報表示装置から受信した文字データを、受信した指示子位置情報に基づく指示子の近傍に表示させる手段とを更に備えることを特徴とする。
【００３１】
本発明に係る情報表示システムでは、他方の情報表示装置から受信した位置指示情報、指示子位置情報及び文字データに基づいて、位置指示情報に基づくウェブページを表示し、そのウェブページ中に指示子及び入力データを表示することにより、他方の情報表示装置に表示されている画面を再現することができるため、ウェブページを閲覧しながら、特定の箇所を指示し、また会話を行うことができるので、ウェブページの表示内容に関連する情報を相手に伝えることが容易であり、通信網を介しての実時間でのコミュニケーションを支援することが可能である。
【００３２】
第１３発明に係る情報表示システムは、データの入力を受け付ける入力手段、画像を表示する表示手段、画像上の位置を指示する指示子を操作する入力を受け付ける位置指示手段、及び通信網に接続する通信手段を有する複数の情報表示装置を備える情報表示システムにおいて、一方の情報表示装置は、画像を表示させる情報の記録位置を指示する位置指示情報を他方の情報表示装置へ送信する手段と、位置指示手段から受け付けた入力に基づく位置を示す指示子位置情報を他方の情報表示装置へ送信する手段と、入力手段から受け付けた入力データを他方の情報表示装置へ送信する手段とを備え、他方の情報表示装置は、受信した位置指示情報に基づく画像を表示手段に表示させる手段と、受信した指示子位置情報に基づく表示手段上の位置に指示子を表示させる手段と、受信した入力データを表示手段に表示させる手段とを備えることを特徴とする。
【００３３】
本発明に係る情報表示システムでは、チャット等の通信網を介しての実時間でのコミュニケーション中にウェブページを閲覧する場合、ＵＲＬ等の位置指示情報、マウス等の位置指示手段により操作されるカーソル等の指示子の位置を示す指示子位置情報、及びキーボード等の入力手段から受け付けた入力データを他方の情報表示装置へ送信し、他方の情報表示装置にて、位置指示情報に基づくウェブページを表示し、そのウェブページ中に指示子及び入力データを表示することにより、他方の情報表示装置にて、一方の情報表示装置に表示されている画面を再現することができるため、ウェブページを閲覧しながら、特定の箇所を指示し、また会話を行うことができるので、ウェブページの表示内容に関連する情報を相手に伝えることが容易であり、通信網を介しての実時間でのコミュニケーションを支援することが可能である。
【００３４】
第１４発明に係る中継装置は、通信網に接続し、複数の装置から夫々送信される文字データを受信し、受信した文字データを各装置へ同報送信する中継装置において、受信した文字データに関連する情報の通信網上の記録位置を指示する位置指示情報を検索する手段と、検索した位置指示情報を文字データに関連付ける手段と、位置指示情報を関連付けた文字データを、各装置へ同報送信する手段とを備えることを特徴とする。
【００３５】
本発明に係る中継装置では、チャットサーバコンピュータ等のコンピュータにおいて、パーソナルコンピュータ等の装置から受信した文字データに関連するＵＲＬ等の位置指示情報を、例えばハイパーリンクの形式で、受信した文字データに関連付けて表示させるべく各装置へ同報送信することにより、各装置を操作する操作者は、文字データに関連する知識を容易に得ることが可能であり、例えばチャット等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介して実時間でのコミュニケーションを支援することが可能である。
【００３６】
第１５発明に係る情報表示装置は、入力手段からデータの入力を受け付ける手段、表示手段に画像を表示させる手段、及び通信網に接続する通信手段を備え、通信に関する情報を表示手段に表示させる情報表示装置において、入力手段から受け付けた入力データに関連する情報の通信網上の記録位置を指示する位置指示情報を検索させる手段と、検索した位置指示情報を入力データに関連付ける手段と、位置指示情報を関連付けた入力データを、表示手段に表示させる手段とを備えることを特徴とする。
【００３７】
本発明に係る情報表示装置では、受け付けたデータに関連するＵＲＬ等の位置指示情報を、例えばハイパーリンクの形式で、受け付けたデータに関連付けて表示することにより、入力したデータに関連する知識を容易に得ることが可能であり、例えばチャット等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介しての実時間でのコミュニケーションを支援することが可能である。
【００３８】
第１６発明に係る情報表示装置は、入力手段からデータの入力を受け付ける手段、表示手段に画像を表示させる手段、位置指示手段から画像上の位置を指示する指示子を操作する入力を受け付ける手段、及び通信網に接続する通信手段を備え、通信網を介して他の装置と通信し、通信に関する情報を表示手段に表示させる情報表示装置において、画像を表示させる情報の記録位置を指示する位置指示情報を、通信網を介して他の装置へ送信する手段と、位置指示手段から受け付けた入力に基づく位置を示す指示子位置情報を、通信網を介して他の装置へ送信する手段と、入力手段から受け付けた入力データを、通信網を介して他の装置へ送信する手段とを備え、他の装置から位置指示情報を受信した場合に、受信した位置指示情報に基づく画像を表示手段に表示させる手段と、他の装置から指示子位置情報を受信した場合に、受信した指示子位置情報に基づく表示手段上の位置に指示子を表示させる手段と、他の装置から入力データを受信した場合に、受信した入力データを表示手段に表示させる手段とを更に備えることを特徴とする。
【００３９】
本発明に係る情報表示装置では、チャット等の通信網を介しての実時間でのコミュニケーション中にウェブページを閲覧する場合、ＵＲＬ等の位置指示情報、マウス等の位置指示手段により操作されるカーソル等の指示子の位置を示す指示子位置情報、及びキーボード等の入力手段から受け付けた入力データを他の装置へ送信し、また他の装置から位置指示情報、指示子位置情報及び入力データを受信した場合に、位置指示情報に基づくウェブページを表示し、そのウェブページ中に指示子及び入力データを表示することにより、他の装置に表示されている画面を再現することができるため、ウェブページを閲覧しながら、特定の箇所を指示し、また会話を行うことができるので、ウェブページの表示内容に関連する情報を相手に伝えることが容易であり、通信網を介しての実時間でのコミュニケーションを支援することが可能である。
【００４０】
第１７発明に係るコンピュータプログラムは、通信網に接続する手段を備えるコンピュータに、複数の装置から夫々送信される文字データを受信し、受信した文字データを各装置へ同報送信させるコンピュータプログラムにおいて、コンピュータに、受信した文字データに関連する情報の通信網上の記録位置を指示する位置指示情報を検索させる手順と、コンピュータに、検索した位置指示情報を文字データに関連付ける手順と、コンピュータに、位置指示情報を関連付けた文字データを、各装置へ同報送信させる手順とを実行させることを特徴とする。
【００４１】
本発明に係るコンピュータプログラムでは、チャットサーバコンピュータ等のコンピュータにて実行することにより、コンピュータが中継装置として動作し、パーソナルコンピュータ等の装置から受信した文字データに関連するＵＲＬ等の位置指示情報を、例えばハイパーリンクの形式で、受信した文字データに関連付けて表示させるべく各装置へ同報送信することにより、各装置を操作する操作者は、文字データに関連する知識を容易に得ることが可能であり、例えばチャット等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介しての実時間でのコミュニケーションを支援することが可能である。
【００４２】
第１８発明に係るコンピュータプログラムは、データの入力を受け付ける入力手段、画像を表示させる表示手段、及び通信網に接続する手段を備えるコンピュータに、通信に関する情報を表示手段に表示させるコンピュータプログラムにおいて、コンピュータに、入力手段から受け付けた入力データに関連する情報の通信網上の記録位置を指示する位置指示情報を検索させる手順と、コンピュータに、検索した位置指示情報を入力データに関連付けさせる手順と、コンピュータに、位置情報を関連付けた入力データを表示手段に表示させる手順とを実行させることを特徴とする。
【００４３】
本発明に係るコンピュータプログラムでは、パーソナルコンピュータ等のコンピュータにて実行することにより、コンピュータが情報表示装置として動作し、受け付けたデータに関連するＵＲＬ等の位置指示情報を、例えばハイパーリンクの形式で、受け付けたデータに関連付けて表示することにより、入力したデータに関連する知識を容易に得ることが可能であり、例えばチャット等の通信網を介して行われるコミュニケーションシステムに適用した場合、相手の話を理解するための知識を容易に入手することができるため、初対面である等、十分な面識がなく相手に関する知識が不十分な場合でも、コミュニケーションのための共通基盤を容易に整えることができ、相手の話を速やかに理解することができるので、通信網を介して実時間でのコミュニケーションを支援することが可能である。
【００４４】
第１９発明に係るコンピュータプログラムは、データの入力を受け付ける入力手段、画像を表示させる表示手段、画像上の位置を指示する指示子を操作する入力を受け付ける位置指示手段、及び通信網に接続する手段を備えるコンピュータに、通信網を介して他の装置と通信し、通信に関する情報を表示手段に表示させるコンピュータプログラムにおいて、コンピュータに、画像を表示させる情報の記録位置を指示する位置指示情報を、通信網を介して他の装置へ送信させる手順と、コンピュータに、位置指示手段から受け付けた入力に基づく位置を示す指示子位置情報を、通信網を介して他の装置へ送信させる手順と、コンピュータに、入力手段から受け付けた入力データを、通信網を介して他の装置へ送信させる手順と、コンピュータに、他の装置から位置指示情報を受信した場合に、受信した位置指示情報に基づく画像を表示手段に表示させる手順と、コンピュータに、他の装置から指示子位置情報を受信した場合に、受信した指示子位置情報に基づく表示手段上の位置に指示子を表示させる手順と、コンピュータに、他の装置から入力データを受信した場合に、受信した入力データを表示手段に表示させる手順とを実行させることを特徴とする。
【００４５】
本発明に係るコンピュータプログラムでは、パーソナルコンピュータ等のコンピュータにて実行することにより、コンピュータが情報表示装置として動作し、チャット等の通信網を介しての実時間でのコミュニケーション中にウェブページを閲覧する場合、ＵＲＬ等の位置指示情報、マウス等の位置指示手段により操作されるカーソル等の指示子の位置を示す指示子位置情報、及びキーボード等の入力手段から受け付けた入力データを他の装置へ送信し、また他の装置から位置指示情報、指示子位置情報及び入力データを受信した場合に、位置指示情報に基づくウェブページを表示し、そのウェブページ中に指示子及び入力データを表示することにより、他の装置に表示されている画面を再現することができるため、ウェブページを閲覧しながら、特定の箇所を指示し、また会話を行うことができるので、ウェブページの表示内容に関連する情報を相手に伝えることが容易であり、通信網を介しての実時間でのコミュニケーションを支援することが可能である。
【発明の効果】
【００４６】
本発明に係る情報表示装置、情報表示システム、中継装置、情報表示装置及びコンピュータプログラムは、チャットサーバコンピュータ等の中継装置と、パーソナルコンピュータ等の複数の情報表示装置とを用い、情報表示装置間でチャット等の通信網を介したコミュニケーションを行う場合、一の情報表示装置が入力を受け付けた文字データに対して形態素解析を行い、文字データを構成する単語を導出し、導出した単語を検索鍵として、検索エンジンと呼ばれるサービスを提供する検索装置にて、単語に関連するウェブページの記録位置を指示するＵＲＬ等の位置情報を検索し、検索した位置情報を、例えばハイパーリンクの形式で、単語に関連付けて表示するチャット用の画面を全ての情報表示装置に表示させる。
【００４７】
この構成により、文字データに含まれる単語に関連する知識を容易に得ることが可能であり、上述した様にチャットシステム等の通信網を介して行われるコミュニケーションシステムに適用した場合、相手の話を理解するための知識を容易に入手することができるため、初対面である場合の様に十分な面識がなく相手に関する知識が不十分な場合でも、コミュニケーションのための共通基盤を容易に整えることができ、相手の話を速やかに理解することができるので、通信網を介して実時間でのコミュニケーションを支援することが可能である等、優れた効果を奏する。
【００４８】
また本発明では、検索鍵とすべき単語の品詞の属性を判別し、判別した属性に対応する種類を判定し、種類に応じた検索処理を行う検索装置を複数の検索装置の中から選択し、選択した検索装置を用い、また本来の検索鍵である単語と種類との論理積を検索鍵として検索を行う。
【００４９】
この構成により、「名詞−固有名詞−地域−国」、「名詞−固有名詞−人名−姓」等の属性に対応付けられた「画像」、「名物」、「ニュース」、「プロフィール」等の種類に応じて使用する検索装置を選択することができ、しかも例えば種類が「ニュース」である場合、単語及び「ニュース」の論理積を検索鍵として検索することにより、特定の属性の単語の検索に特化した検索装置を適切に使用し、また特定のキーワード（種類）をも含むウェブページの位置指示情報を検索することができるので、好ましい検索結果を得るための検索能力が向上し、好適な検索結果を単語に関連する情報として抽出することが可能である等、優れた効果を奏する。
【００５０】
また本発明では、２以上の単語が連続する単語組を抽出し、抽出した単語組を、該単語組を形成する各単語より優先的に検索鍵として、検索することにより、例えば日本人に多い「鈴木」等の姓と、「一朗」等の名とを、夫々別々の単語として検索した場合には、検索結果が膨大となり、適切な検索結果を得ることが困難となるのに対し、属性が「姓」である単語と、属性が「名」である単語とを連結して「姓名」となる単語組を抽出して検索鍵とすることにより、特定の人物の絞込を容易に行うことができるので、検索能力が向上し、好適な検索結果を単語に関連する情報として抽出することが可能である等、優れた効果を奏する。
【００５１】
さらに本発明では、チャット等の通信網を介しての実時間でのコミュニケーション中にウェブページを閲覧する場合、ＵＲＬ等の位置指示情報、マウス等の位置指示手段により操作されるカーソル等の指示子の位置を示す指示子位置情報、及びキーボード等の入力手段から受け付けた入力データを一方の装置から他方の情報表示装置へ送信し、他方の情報表示装置にて、位置指示情報に基づくウェブページを表示し、そのウェブページ中に指示子及び入力データを表示する。
【００５２】
この構成により、他方の情報表示装置にて、一方の情報表示装置に表示されている画面を再現することができるので、ウェブページを閲覧しながら、特定の箇所を指示し、また会話を行うことができるので、ウェブページの表示内容に関連する情報を相手に伝えることが容易であり、通信網を介しての実時間でのコミュニケーションを支援することが可能である。
【発明を実施するための最良の形態】
【００５３】
以下、本発明をその実施の形態を示す図面に基づいて詳述する。
【００５４】
図１は、本発明の情報表示システムの構成例を概念的に示す説明図である。図１中１は、チャットシステムとしてのサービスを提供するサーバコンピュータ等のコンピュータを用いた本発明の中継装置であり、中継装置１は、インターネット等の通信網１００に接続している。通信網１００には、パーソナルコンピュータを用いた複数の情報表示装置２，２，…が接続されており、中継装置１にて提供されるチャットシステム等のサービスを利用することが可能である。さらに通信網１００には、一又は複数の文字データを検索鍵として、当該文字データ又は該文字データに類似する単語を含むＨＴＭＬ(Hyper Text Markup Language)等のページ記述言語で記述されたウェブページを表示するデータ、プログラム等のファイルの通信網１００上での記録位置を指示するＵＲＬ等の位置指示情報を検索する検索エンジンと呼ばれるサービスを提供するサーバコンピュータを用いた複数の検索装置３，３，…が接続されている。また通信網１００には、ウェブページを提供するウェブサーバコンピュータを用いた各種通信装置４，４，…が接続されている。
【００５５】
中継装置１にて提供されるチャットシステムとは、一の情報表示装置２から送信される文字データを受信した場合に、受信した文字データを、チャットチャネルにより組分けされている一又は複数の情報表示装置２，２，…へ同報的に送信するサービスであり、各情報表示装置２，２，…では、中継装置１から受信した文字データをチャット用の画面（ウィンドウ）内に時系列順に表示する。これにより各情報表示装置２，２，…を操作する各操作者は、文字データを用いたチャット（会話）により実時間でのコミュニケーションを行うことができる。
【００５６】
図２及び図３は、本発明の情報表示システムにて用いられる各種装置の構成を示すブロック図である。図２は、主に中継装置１及び検索装置３の構成を示し、図３は、主に情報表示装置２の構成を示している。中継装置１は、装置全体を制御するＣＰＵ等の制御手段１０、本発明の中継装置用のコンピュータプログラム２００及びデータ等の各種情報を記録したＣＤ−ＲＯＭ等の記録媒体３００から各種情報を読み取るＣＤ−ＲＯＭドライブ等の補助記憶手段１１、補助記憶手段１１により読み取った各種情報を記録するハードディスク及びＲＡＩＤ(Redundant Arrays of Inexpensive Disks) 等の記録手段１２、並びに情報を一時的に記憶するＲＡＭ等の記憶手段１３を備えている。そして記録手段１２から本発明の中継装置用のコンピュータプログラム２００及びデータ等の各種情報を読み取り、記憶手段１３に記憶させて制御手段１０により実行することで、サーバコンピュータは、本発明の中継装置１として動作する。さらに中継装置１は、通信網１００に接続するための通信手段１４を備えている。なお中継装置１は、本発明の中継装置用のコンピュータプログラム２００以外にもチャットシステム等のサービスを提供するための各種プログラムを実行する。
【００５７】
また記録手段１２の記録領域の一部は、単語の品詞を示す属性情報及び単語の品詞の種類を示す種類情報を対応付けて記録する属性種類データベース（属性種類ＤＢ）１２ａ、並びに種類情報及び検索装置３を識別する検索装置識別情報を対応付けて記録する検索装置データベース１２ｂ（検索装置ＤＢ）等の各種データベースとして用いられている。なお中継装置１が備える記録手段１２の記録領域の一部を各種データベースとして用いるのではなく、記録手段を備える他の装置を中継装置１に接続し、各種データベースとして用いるようにしても良い。
【００５８】
情報表示装置２は、制御手段２０、本発明の情報表示装置用のコンピュータプログラム２０１及びデータ等の情報を記録した記録媒体３０１から各種情報を読み取る補助記憶手段２１、補助記憶手段２１により読み取った各種情報を記録するハードディスク等の記録手段２２、並びに記憶手段２３を備えている。そして記録手段２２から本発明の情報表示装置用のコンピュータプログラム２０１及びデータ等の各種情報を読み取り、記憶手段２３に記憶させて制御手段２０により実行することで、パーソナルコンピュータは、本発明の情報表示装置２として動作する。本発明の情報表示装置２として実行されるコンピュータプログラム２０１の中には、様々なプログラムが含まれており、その中の一つがページ記述言語で記述されたウェブページを他の情報表示装置２と共有して閲覧するための共有閲覧用プログラム（以下、共有ブラウザという）２０１ａである。なお共有ブラウザ２０１ａは、予め情報表示装置２に記録されている既存のブラウザの機能の一部を用いるプログラムであっても良い。また情報表示装置２は、本発明の情報表示装置用のコンピュータプログラム２０１以外にも様々なプログラムを実行する。
【００５９】
さらに情報表示装置２は、通信手段２４、画像を表示する液晶モニタ等の表示手段２５、文字、記号等の各種データの入力を受け付けるキーボード等の入力手段２６、並びに表示手段２５に表示される画像情報の位置を指示するカーソル等の指示子を操作する入力を受け付けるマウス等の位置指示手段２７を備えている。
【００６０】
検索装置３は、制御手段３０、記録手段３１、記憶手段３２及び通信手段３３を備えており、検索エンジンとして機能するコンピュータプログラムを実行する。
【００６１】
次に本発明の中継装置１が備える各種データベースの記録内容を説明する。図４は、本発明の中継装置１が備える属性種類データベース１２ａの記録内容の例を概念的に示す説明図である。属性種類データベース１２ａには、品詞の属性を示す属性情報と、品詞の種類を示す種類情報とが対応付けて記録されており、種類情報は、更に第１種類情報、第２種類情報、第３種類情報及び第４種類情報に区分されている。属性情報としては、「名詞−固有名詞−地域−国」、「名詞−固有名詞−人名−姓」、「名詞−一般名詞−サ変接続」、「記号−アルファベット」等の属性を例示列挙することができる。種類情報としては、「画像」、「名物」、「観光」、「地図」、「ニュース」、「プロフィール」等の種類を例示列挙することができる。全ての属性情報に対して「画像」が種類情報として関連付けられているのは、後述する処理により検索を行った場合、検索結果である位置指示情報により画像を表示させることが、その単語を短時間で認識する上で有効であるとの観点からである。
【００６２】
図５は、本発明の中継装置１が備える検索装置データベース１２ｂの記録内容の例を概念的に示す説明図である。検索装置データベース１２ｂには、品詞の種類を示す種類情報と、検索装置３を識別する検索装置識別情報とが対応付けて記録されており、検索装置識別情報は、第１検索装置識別情報、第２検索装置識別情報及び第３検索装置識別情報に区分されている。図５に示す例では、検索装置識別情報として、「イメージＧ××ｇｌ」、「エキ○イト英和辞典」等の検索装置３にて提供される検索エンジンのサービスの名称を記載しているが、検索装置３のＵＲＬ、ＩＰアドレス、更には検索鍵に基づく検索用のＵＲＬの生成に用いられるデータ列であっても良い。
【００６３】
次に本発明の情報表示システムが備える各種装置の処理を説明する。図６は、本発明の情報表示システムが備える情報表示装置２の文字データ入力処理を示すフローチャートである。情報表示装置２を操作する操作者は、情報表示装置２に対し、通信網１００を介して中継装置１に接続し、中継装置１にて提供されるチャットサービスを使用する操作を行う。中継装置１では、情報表示装置２に対してチャットチャネルを割り当て、同じチャットチャネルが割り当てられた他の情報表示装置２との通信の中継を開始する。操作者は、情報表示装置２に対して文字データを入力する。情報表示装置２は、記憶手段２３に記憶させたコンピュータプログラム２０１を実行する制御手段２０の制御により、入力手段２６から一又は複数の文字データの入力を受け付け（Ｓ１０１）、受け付けた文字データを、通信手段２４から通信網１００を介して中継装置１へ送信する（Ｓ１０２）。なお入力手段２６から入力を受け付ける文字データとは、広義での文字データを示し、ひらがな、漢字、アルファベット等の文字だけでなく、数字、記号等のキャラクタ全般を示す。
【００６４】
図７は、本発明の情報表示システムが備える中継装置１の表示用データ生成処理を示すフローチャートである。中継装置１では、記憶手段１３に記憶させたコンピュータプログラム２００を実行する制御手段１０の制御により、通信手段１４にて文字データを受信し（Ｓ２０１）、受信した文字データに対して形態素解析を行って、文字データを構成する単語を導出し（Ｓ２０２）、導出した単語の中から特定の品詞の単語を抽出する（Ｓ２０３）。ステップＳ２０２における形態素解析による文字データを構成する単語の導出とは、複数の文字からなる文字データから正規形の単語を導出する処理である。即ち複数の文字により文章を構成する文字データを単語毎に分解し、分解した単語の品詞を解析して品詞の種類を判定する。そして動詞等の活用形がある品詞に対しては、その正規形を求める処理である。ステップＳ２０３における特定の品詞とは、任意に設定することが可能であるが、ここでは名詞、未知語及び記号を特定の品詞として設定し、導出した単語の中から名詞、未知語及び記号を抽出するものとする。
【００６５】
中継装置１では、制御手段１０の制御により、形態素解析により導出した単語の中から抽出された特定の品詞の中で、連続する２以上の単語が存在する場合に、連続する２以上の単語を単語組として抽出する（Ｓ２０４）。例えば名詞として抽出された人物の姓を示す単語「Ｎ田」と、人物の名を示す「Ｈ寿」とが連続して存在する場合に、「Ｎ田Ｈ寿」を単語組として抽出する。
【００６６】
中継装置１では、制御手段１０の制御により、形態素解析により導出した単語の中から抽出された特定の品詞の単語、及び単語組について、品詞の属性を判定し（Ｓ２０５）、判定した品詞の属性を示す属性情報に対応する種類情報を、属性品詞データベース１２ａから抽出し（Ｓ２０６）、抽出した種類情報に対応する第１検索装置識別情報、第２検索装置識別情報等の検索装置識別情報を、検索装置データベース１２ｂから抽出する（Ｓ２０７）。
【００６７】
中継装置１では、制御手段１０の制御により、形態素解析により導出した単語の中から抽出された特定の品詞の単語及び該単語に対応する種類情報の論理積、並びに単語組及び種類情報の論理積を検索鍵として、各種類情報に夫々対応する検索装置識別情報にて識別される検索装置３により、単語又は単語組に関連する位置指示情報を検索させる（Ｓ２０８）。なお単語組による検索は、単語組を形成する各単語より優先的に行われ、単語組による検索により有効な位置指示情報が検索された場合には、単語組を形成する各単語による検索は省略される。各単語より、単語組による検索の方が、操作者が意図する検索結果を得られる可能性が高いからである。単語及び種類情報の論理積を検索鍵とする検索とは、例えば属性情報が「名詞−固有名詞−地域−国」である「日本」という単語に対応する種類情報である「画像」、「名物」等の論理積、即ち「日本」と「画像」との両方の検索鍵に関連する位置指示情報を検索する処理を示す。なお検索結果として複数の位置指示情報が検索された場合、所定数、ここでは最も関連性が深いと考えられる最高位の位置指示情報１つのみを検索結果とする。また各単語又は単語組に対応付けられている種類情報が複数である場合、夫々の種類情報毎に検索処理が行われる。即ち第１種類情報、第２種類情報、第３種類情報及び第４種類情報と４の種類情報が対応付けられている場合、当該単語と夫々の種類情報との論理積を検索鍵として、夫々に対応する検索装置３を用いて検索することになる。従ってこの場合、１の単語で最高４回の検索が行われ、４の検索結果が得られる。また検索装置３により検索させる処理とは、中継装置１から検索装置３へ検索鍵を送信し、検索装置３では、検索鍵に基づく検索処理を行い、その結果である位置指示情報を中継装置１へ送信し、中継装置１が検索結果を取得する処理を示す。
【００６８】
中継装置１では、制御手段１０の制御により、ステップＳ２０８にて検索した結果として検索装置３から取得した位置指示情報を、文字データに関連付けることで表示用データを生成し（Ｓ２０９）、位置指示情報を関連付けた文字データを表示用データとして通信手段１から通信網１００を介して、送信元の情報表示装置２と同じチャットチャネルが割り当てられている全ての情報表示装置２へ同報送信する（Ｓ２１０）。位置指示情報を文字データに関連付ける処理とは、文字データを構成する単語又は単語組にハイパーリンクとして位置指示情報を関連付ける処理を示す。
【００６９】
図８は、本発明の情報表示システムが備える情報表示装置２の文字データ表示処理を示すフローチャートである。情報表示装置２は、記憶手段２３に記憶させたコンピュータプログラム２０１を実行する制御手段２０の制御により、通信手段２４にて表示用データを受信し（Ｓ３０１）、受信した表示用データを表示手段２５に表示させる（Ｓ３０２）。表示手段２５に表示させる表示用データとは、文字データを時系列順に表示するチャット用の画面である。
【００７０】
また情報表示装置２は、制御手段２０の制御により、表示させた表示用データである文字データに関連付けられている位置指示情報に基づいて、通信装置４にアクセスし、アクセスした通信装置４に記録されているウェブページを読み取り（Ｓ３０３）、読み取ったウェブページを記録手段１２に記録する（Ｓ３０４）。操作者は、表示させた表示用データである文字データに関連付けられている位置指示情報に基づくウェブページにアクセスする可能性が高いため、情報表示装置２では、位置指示情報に基づいて通信装置４にアクセスし、アクセスした通信装置４に記録されているウェブページ、具体的にはページ記述言語で記述されたテキストデータ、画像データ、プログラム等の各種ファイルを読み取って記録手段１２に記録する先読み処理を行う。先読み処理を行うことにより、操作者が位置指示情報に基づくウェブページにアクセスする場合にでも、通信装置４にアクセスするのではなく記録手段１２からウェブページを読み出すことができるため、ウェブページを表示させるまでの時間を短縮することができる。
【００７１】
図９は、本発明の情報表示システムが備える情報表示装置２が表示させる画像を示す説明図である。図９は、ステップＳ３０２にて表示手段２５に表示させるチャット用の画面を示しており、「たく」と名乗る操作者と、「よっし」と名乗る操作者とがチャットを行っている状況を示している。図９に示すチャット用の画面内では、各情報表示装置２から送信された文字データが、チャット内での発言内容として上方から下方へ時系列順で表示されている。最上位に表示されている操作者「たく」が操作する情報表示装置２から送信された文字データは、「今日のサッカーどうなったの？」であり、文字データに含まれる単語「サッカー」には、単語「サッカー」に対するハイパーリンクとして位置指示情報が関連付けられている。単語「サッカー」に示された下線は、種類情報「画像」に対応する検索装置３を用いて検索した結果である位置指示情報が関連付けられていることを示しており、単語「サッカー」の右側に示された「情」、「Ｎ」及び「買」の画像は、夫々「情報」、「ニュース」及び「買い物」に対応する検索装置３を用いて検索した結果である位置指示情報が関連付けられていることを示している。また最下位に表示されている操作者「よっし」が操作する情報表示装置２から送信された文字データは、「Ｎ田Ｈ寿がゴールを決めていたよ」であり、文字データに含まれる単語「Ｎ田Ｈ寿」及び「ゴール」には、位置指示情報が関連付けられている。単語「Ｎ田Ｈ寿」に示された下線は、種類情報「画像」に対応する検索装置３を用いて検索した結果である位置指示情報が関連付けられていることを示しており、単語「Ｎ田Ｈ寿」の右側に示された「情」、「Ｎ」及び「人」の画像は、夫々「情報」、「ニュース」及び「人名」に対応する検索装置３を用いて検索した結果である位置指示情報が関連付けられていることを示すアイコンである。
【００７２】
図１０は、本発明の情報表示システムが備える情報表示装置２が表示させる画像を示す説明図である。図１０は、図９において、操作者「よっし」が操作する情報表示装置２から送信された文字データに含まれる単語「サッカー」に、マウス等の位置指示手段２７を操作して、カーソル等の指示子を重畳させ、単語「サッカー」を指示する入力、即ちクリックを行った状態を示している。クリックを行うことにより、図１０に示す様にチャット用の画面内に、種類情報「画像」に対応する検索装置３を用いて検索した結果である位置指示情報に基づくウェブページ内の画像と、検索した結果である位置指示情報とが表示される。なおここで示される画像は、先読み処理により予め通信装置４にアクセスして取得し、記録手段１２に記録している画像であるため、表示するまでの時間は、検索装置３にアクセスする場合と比べて短くなる。
【００７３】
そして操作者は、図１０に示した画像を表示させている状態から、位置指示手段２７を操作して、画像の下方に示された位置指示情報、又は「情」、「Ｎ」或いは「人」と示されたアイコンである画像を指示する入力を行うことにより、同じチャットチャネルが割り当てられている全ての情報表示装置２において、共有ブラウザ２０１ａが起動し、位置指示情報に基づくウェブページが共有ブラウザ２０１ａにて閲覧することが可能となる。
【００７４】
次に図１０に示す状態から位置指示情報又はアイコン等の画像を指示する入力を行うことにより起動する共有ブラウザ２０１ａを用いた処理について説明する。図１１は、本発明の情報表示システムが備える情報表示装置２のウェブページ共有処理を示すフローチャートである。なおウェブページ共有処理では、複数の情報表示装置２，２間で情報の送受信を行うため、ここでは第１情報表示装置２ａ及び第２情報表示装置２ｂとして区別する。第１情報表示装置２ａは、記憶手段２３に記憶させたコンピュータプログラム２０１を実行する制御手段２０の制御により、位置指示手段２７から、位置指示情報又はアイコンの画像を指示する入力を受け付け（Ｓ４０１）、共有ブラウザ２０１ａを起動し（Ｓ４０２）、共有ブラウザ２０１ａの処理により、位置指示情報に基づくウェブページに関するファイルを記録手段１２から読み取って、表示手段２５に表示させた共有ブラウザ２０１ａの枠（ウィンドウ）内に、位置指示情報に基づくウェブページを表示させる（Ｓ４０３）。そして第１情報表示装置２ａでは、制御手段２０の制御により、指示された位置指示情報を、通信手段２４から通信網１００を介して第２情報表示装置２ｂへ送信する（Ｓ４０４）。ステップＳ４０３においてウェブページを表示させるための情報が先読み処理により記録手段１２内に記録されていない場合は、位置指示情報に基づく通信装置４にアクセスしてウェブページを表示させるためのファイルを取得する。またステップＳ４０４にて位置指示情報を送信する処理は、中継装置１により中継する様にしても良いが、互いのＩＰアドレス等の位置情報を認識している状態で有れば、中継装置１にて中継せずとも良い。
【００７５】
第２情報表示装置２ｂでは、記憶手段２３に記憶させたコンピュータプログラム２０１を実行する制御手段２０の制御により、通信手段２４にて位置指示情報を受信し（Ｓ４０５）、共有ブラウザ２０１ａを起動し（Ｓ４０６）、受信した位置指示情報に基づくウェブページを、表示手段２５に表示させた共有ブラウザ２０１ａの枠内に表示させる（Ｓ４０７）。なお第１情報表示装置２ａ及び第２情報表示装置２ｂの処理中、既に共有ブラウザ２０１ａが起動している状態で有れば、共有ブラウザ２０１ａを起動させる処理は不要であることは言うまでもない。共有ブラウザ２０１ａ内に表示されたウェブページに更に他の位置指示情報を関連付けられており、その位置指示情報を指示する入力が行われた場合も位置指示情報の送受信が行われ、ウェブページの共有が行われる。
【００７６】
図１２は、本発明の情報表示システムが備える情報表示装置２が表示させる画像を示す説明図である。図１２は、情報表示装置２にて共有ブラウザ２０１ａを起動させ、共有ブラウザ２０１ａ内にウェブページを表示させた状態を示している。共有ブラウザ２０１ａの右上方には、「自分のページ」と示されたタブと、「相手のページ」と示されたタブとが表示されている。なおこれらのタブは、共有ブラウザ２０１ａにより、ウェブページの表示を共有する情報表示装置２の数だけ示される。図１２では、「自分のページ」と示されたタブに対応する画面が表示されている状態を示している。即ち図１１のフローチャートを用いて示した処理の場合、第１情報表示装置２ａでは、共有ブラウザ２０１ａの「自分のページ」が示されており、第２情報表示装置２ｂでは、共有ブラウザ２０１ａの「相手のページ」が示される。
【００７７】
図１３は、本発明の情報表示システムが備える情報表示装置２の指示子共有処理を示すフローチャートである。第１情報表示装置２ａを操作する操作者が、位置指示手段２７を操作して、共有ブラウザ２０１ａ内に指示子を移動させた場合、指示子共有処理が実行される。第１情報表示装置２ａは、記憶手段２３に記憶させたコンピュータプログラム２０１を実行する制御手段２０の制御により、共有ブラウザ２０１ａにより表示されるウェブページ（閲覧用画像）内に指示子が位置するか否かを判定し（Ｓ５０１）、指示子が位置すると判定した場合（Ｓ５０１：ＹＥＳ）、共有ブラウザ２０１ａにより表示されるウェブページ内での指示子の位置を示す指示子位置情報を読み取り（Ｓ５０２）、読み取った指示子位置情報を、通信手段２４から通信網１００を介して第２情報表示装置２ｂへ送信する（Ｓ５０３）。そして１秒等の所定時間経過後、ステップＳ５０１へ戻り、以降の処理を繰り返す。ステップＳ５０１において、共有ブラウザ２０１ａ内に指示子が位置しないと判定した場合（Ｓ５０１：ＮＯ）、１秒等の所定時間経過後、ステップＳ５０１へ戻り、以降の処理を繰り返す。なおステップＳ５０３にて指示子位置情報を送信する処理は、中継装置１により中継する様にしても良いが、互いのＩＰアドレス等の位置情報を認識している状態で有れば、中継装置１にて中継せずとも良い。
【００７８】
第２情報表示装置２ｂは、記憶手段２３に記憶させたコンピュータプログラム２０１を実行する制御手段２０の制御により、通信手段２４にて指示子位置情報を受信し（Ｓ５０４）、受信した指示子位置情報により示される位置に基づいて、表示手段２５に表示させている共有ブラウザ２０１ａ内に指示子を表示させる（Ｓ５０５）。
【００７９】
図１４は、本発明の情報表示システムが備える情報表示装置２が表示させる画像を示す説明図である。図１４は、図１２に示した画面の状態から指示子の表示を共有させた状態を示している。共有ブラウザ２０１ａ内には、矢印の形状の指示子が２つ表示されており、操作者自身が操作する指示子が２０００ａであり、相手が表示する指示子が２０００ｂである。図１４に示す様に共有ブラウザ２０１ａ内での指示子の位置は共有されるため、自らが操作する指示子２０００ａと、通信相手が操作する指示子２０００ｂとの複数の指示子２０００ａ，２０００ｂが共有ブラウザ２０１ａ内に表示される。なお指示子位置情報は、相互に送受信されるため、通信を行う第１情報表示装置２ａ及び第２情報表示装置２ｂにて表示される夫々の共有ブラウザ２０１ａ内には、夫々自らが操作する指示子２０００ａと通信相手が操作する指示子２０００ｂが表示される。
【００８０】
図１５は、本発明の情報表示システムが備える情報表示装置２の文字データ共有処理を示すフローチャートである。第１情報表示装置２ａを操作する操作者が、入力手段１６を操作し、特定の機能キーの押下等の所定の操作を行った場合に、文字データ共有処理が開始される。第１情報表示装置２ａは、記憶手段２３に記憶させたコンピュータプログラム２０１を実行する制御手段２０の制御により、文字データ共有処理を開始する入力を受け付け（Ｓ６０１）、文字データを表示するための文字データ表示枠（メッセージボックス）を示す画像を、表示手段２５に表示させている共有ブラウザ２０１ａ内に表示させた指示子の近傍に表示させる（Ｓ６０２）。操作者は、文字データ表示枠内に、入力手段１６から文字データの入力を行う。
【００８１】
第１情報表示装置２ａは、入力手段１６から文字データの入力を受け付け（Ｓ６０３）、受け付けた文字データを、指示子の近傍に表示されている文字データ表示枠内に表示させる（Ｓ６０４）。そして第１情報表示装置２ａでは、制御手段２０の制御により、ステップＳ６０３にて入力を受け付けた文字データを通信手段２４から通信網１００を介して第２情報表示装置２ｂへ送信する（Ｓ６０５）。
【００８２】
第２情報表示装置２ｂでは、記憶手段２３に記憶させたコンピュータプログラム２０１を実行する制御手段２０の制御により、通信手段２４にて文字データを受信し（Ｓ６０６）、表示手段２５に表示させた共有ブラウザ内の表示している指示子の近傍に文字データ表示枠を表示させ（Ｓ６０７）、文字データ表示枠内に受信した文字データを表示させる（Ｓ６０８）。
【００８３】
図１６は、本発明の情報表示システムが備える情報表示装置２が表示させる画像を示す説明図である。図１６は、図１４に示した画面の状態から相互に文字データを送受信させて、共有している状態を示している。共有ブラウザ２０１ａ内には、操作者自身が操作する指示子２０００ａの近傍に、文字データ表示枠２００１ａが表示されており、文字データ表示枠２００１ａ内には、操作者が入力した「セ○○Ａですか」という文字データが表示されている。さらに共有ブラウザ２０１ａ内には、通信相手が操作する指示子２０００ｂの近傍に、文字データ表示枠２００１ｂが表示されており、文字データ表示枠２００１ｂ内には、通信相手が入力した「おもしろそうですね。」という文字データが表示されている。
【００８４】
図１１乃至図１６を用いて説明した様に共有ブラウザ２０１ａにより、位置指示情報、指示子位置情報及び文字データを複数の情報表示装置２，２間で送受信することにより、他の情報表示装置２に表示されている画面を再現することが可能となる。
【００８５】
前記実施の形態では、中継装置にて、形態素解析による単語の導出、単語組の抽出、品詞の属性の判定、種類情報の抽出、検索装置識別情報の抽出、位置指示情報の検索の指示、表示用データの生成等の表示用データ生成処理に係る各種処理を実行する形態を示したが、本発明はこれに限らず、文字データの送信側の情報表示装置又は文字データの受信側の情報表示装置にて、表示用データ生成処理に係る各種処理を実行する形態でも良く、更には他の情報表示装置への文字データの送信を目的とせず、自らが操作する情報表示装置内での文字データの入力及び表示に用いる様にしても良い。
【００８６】
また前記実施の形態では、チャットシステムに適用する形態を示したが、本発明がこれに限らず、掲示板システム、電子メール等の通信網を介しての様々なコミュニケーションに適用することが可能である。
【００８７】
さらに前記実施の形態では、文字データを入力する形態を示したが、本発明はこれに限らず、文字データを所定の方法で暗号化したデータ、画像データ、及び音楽データ等の様々な入力データに適用することが可能である。例えば画像データに適用した場合には、画像データとして表示されている文字を読み取る処理を行った上で、本発明の表示用データ生成処理を実行する。
【図面の簡単な説明】
【００８８】
【図１】本発明の情報表示システムの構成例を概念的に示す説明図である。
【図２】本発明の情報表示システムにて用いられる各種装置の構成を示すブロック図である。
【図３】本発明の情報表示システムにて用いられる各種装置の構成を示すブロック図である。
【図４】本発明の中継装置１が備える属性種類データベースの記録内容の例を概念的に示す説明図である。
【図５】本発明の中継装置１が備える検索装置データベースの記録内容の例を概念的に示す説明図である。
【図６】本発明の情報表示システムが備える情報表示装置の文字データ入力処理を示すフローチャートである。
【図７】本発明の情報表示システムが備える中継装置の表示用データ生成処理を示すフローチャートである。
【図８】本発明の情報表示システムが備える情報表示装置の文字データ表示処理を示すフローチャートである。
【図９】本発明の情報表示システムが備える情報表示装置が表示させる画像を示す説明図である。
【図１０】本発明の情報表示システムが備える情報表示装置が表示させる画像を示す説明図である。
【図１１】本発明の情報表示システムが備える情報表示装置のウェブページ共有処理を示すフローチャートである。
【図１２】本発明の情報表示システムが備える情報表示装置が表示させる画像を示す説明図である。
【図１３】本発明の情報表示システムが備える情報表示装置の指示子共有処理を示すフローチャートである。
【図１４】本発明の情報表示システムが備える情報表示装置が表示させる画像を示す説明図である。
【図１５】本発明の情報表示システムが備える情報表示装置の文字データ共有処理を示すフローチャートである。
【図１６】本発明の情報表示システムが備える情報表示装置が表示させる画像を示す説明図である。
【符号の説明】
【００８９】
１  中継装置
１２ａ  属性種類データベース
１２ｂ  検索装置データベース
２  情報表示装置
２５  表示手段
２６  入力手段
２７  位置指示手段
３  検索装置
４  通信装置
１００  通信網
２００，２０１  コンピュータプログラム
３００，３０１  記録媒体
２０１ａ  共有閲覧用プログラム
２０００ａ，２０００ｂ  指示子
２００１ａ，２００１ｂ  文字データ表示枠
【図１】
2006146824.tif 000003
【図２】
2006146824.tif 000004
【図３】
2006146824.tif 000005
【図４】
2006146824.tif 000006
【図５】
2006146824.tif 000007
【図６】
2006146824.tif 000008
【図７】
2006146824.tif 000009
【図８】
2006146824.tif 000010
【図９】
2006146824.tif 000011
【図１０】
2006146824.tif 000012
【図１１】
2006146824.tif 000013
【図１２】
2006146824.tif 000014
【図１３】
2006146824.tif 000015
【図１４】
2006146824.tif 000016
【図１５】
2006146824.tif 000017
【図１６】
2006146824.tif 000018